(57)【特許請求の範囲】
【請求項１】
発電プラントにおける復水器（２）、脱気器（７）及び脱塩装置（４）を配管で組み合わせた系を洗浄処理する洗浄方法であって、
前記復水器（２）と前記脱気器（７）に一旦水を張った後、該復水器（２）と該脱気器（７）内の水質が基準値に達するまで水張りとブローを繰り返し、
次に、再度前記復水器（２）に水を張った後、該復水器（２）から前記脱気器（７）までの間の機器と配管を、復水ポンプ（３）により洗浄水を供給しつつブロー洗浄し、
その水質が基準値に達した後、脱塩装置（４）へ通水する、ことを特徴とするプラントにおける洗浄方法。
【請求項２】
発電プラントの復水器（２）、脱気器（７）、低圧ヒータ（６）及び脱塩装置（４）を配管で組み合わせた系を洗浄処理する洗浄方法であって、
前記復水器（２）と前記脱気器（７）に一旦水を張った後、該復水器（２）と該脱気器（７）内の水質が基準値に達するまで水張りとブローを繰り返し、
次に、再度前記復水器（２）に水を張った後、復水ポンプ（３）により該復水器（２）を、洗浄水を供給しつつブロー洗浄し、
前記低圧ヒータ（６）をバイパスして脱気器（７）へ通水し、該脱気器（７）へ再度水を張った後ブローを行い、
前記脱気器（７）を洗浄水を供給しつつブロー洗浄し、同時に低圧ヒータ（６）も洗浄水を供給しつつブロー洗浄し、
その水質が基準値に達した後、脱塩装置（４）へ通水する、ことを特徴とするプラントにおける洗浄方法。
【発明の詳細な説明】
【０００１】
【発明の属する技術分野】
本発明は、プラントにおける貯槽、機器と配管が組み合わされた系の水流による洗浄技術に係り、特に発電所等の起動時に系内の洗浄処理を要するプラントにおける洗浄方法に関するものである。
【０００２】
【従来の技術】
一般に、火力発電所等の発電プラントの運転においては、その給水中に不純物が混入してはならない。そこで、図７から図１０のプラントの系統図に示すように、貯槽、機器と配管が組み合わされた発電プラントの系では、その起動時に洗浄処理を行う必要がある。例えば、貫流ボイラ等を洗浄処理するときは、系のブロー洗浄を行うと共に、系の途中に設けた脱塩装置に通水し循環洗浄することにより洗浄処理を行っていた。
【０００３】
例えば、復水クリーンアップするときは、図７の系統図に示すように復水ポンプ３を運転し、ブロー弁Ｂ２を「開」にしてブロータンク５へブロー洗浄していた。次に、復水器２と配管内の水質が安定した後に、弁（ＣＶ−２）を「開」にして循環運転していた。このとき脱塩装置４への通水を開始し、以後の工程では全て水質処理を行っていた。図示例では、「太い実線」はブロー洗浄を示し、「太い破線」は循環洗浄を示している。
【０００４】
低圧クリーンアップするときは、図８の系統図に示すように、低圧ヒータ６から脱気器７まで通水し、ブロー弁Ｂ４、ブロー弁Ｂ５を「開」にしてブロータンク５へブロー洗浄していた。次に、低圧ヒータ６と脱気器７内の水質が安定した後に、弁Ｖ６を「開」にして循環運転していた。
【０００５】
高圧クリーンアップするときは、図９の系統図に示すように、低圧クリーンアップ系統で脱気器７へ通水し、給水ポンプ８を運転し、高圧ヒータ９へ通水し、ブロー弁Ｂ５を「開」にしてブロータンク５へブロー洗浄していた。次に、高圧ヒータ９内の水質が安定した後に弁Ｖ６を「開」にして循環運転していた。
【０００６】
ボイラクリーンアップするときは、図１０の系統図に示すように、高圧クリーンアップ系統でボイラ１へ通水し、フラッシュタンク１０へ水を張り、ブロー弁Ｂ７を「開」にしてブロータンク５へブロー洗浄していた。次に、ボイラ１と配管内の水質が安定した後に、弁（ＣＶ−３）を「開」にして循環運転していた。
【０００７】
【発明が解決しようとする課題】
定期点検等でボイラを停止する場合、貯槽、機器および配管内には停止時からの残留水や、工事による塵埃または腐食防止用薬品等が混入している場合がある。しかし、上記従来の洗浄方法では、貯槽、機器および配管中の不純物を不必要に系内循環させ脱塩装置４で吸着除去させるため、その処理時間が長くなるという問題を有していた。例えば、プラントの系内の洗浄に要する時間が１１時間から１２時間程度を要していた。ここで、最近の電力需要は、冷暖房機器をはじめとする数々の電気機器の普及に伴い、需要家の産業活動や気温等の気象条件により急激に増減する傾向にある。その急激な需要変化に対応するため、発電プラントのレスポンスは給電運用上の重要な位置づけとなっており、起動指令から全負荷までの時間短縮が望まれていた。
【０００８】
また、脱塩装置４を再生させるための洗浄頻度の増加及び樹脂の劣化が進行するという問題を有していた。
【０００９】
更に、貯槽、機器に水張りしながらブロー洗浄を行うために、大量の洗浄水が必要であるという問題を有していた。例えば、発電機出力が７００ＭＷクラスの１発電プラントの系内の洗浄に要する洗浄水が２５００トンから２７００トン程度であった。
【００１０】
本発明は、かかる問題点を解決するために創案されたものである。すなわち、本発明の目的は、最初に復水器、脱気器といった系の中で保水容量の大きい貯槽、機器に一旦水を張った後ブローし、その後、脱気器までの系における貯槽、機器と配管内の不純物をブロー洗浄のみで処理することにより、洗浄工程途中における循環洗浄工程を省略でき、短時間に洗浄処理すると共に、その洗浄に用いる使用する水量を減少させることができるプラントにおける洗浄方法を提供することにある。
【００１１】
【課題を解決するための手段】
本発明の第１の洗浄方法によれば、発電プラントにおける復水器（２）、脱気器（７）及び脱塩装置（４）を配管で組み合わせた系を洗浄処理する洗浄方法であって、前記復水器（２）と前記脱気器（７）に一旦水を張った後、該復水器（２）と該脱気器（７）内の水質が基準値に達するまで水張りとブローを繰り返し、次に、再度前記復水器（２）に水を張った後、該復水器（２）から前記脱気器（７）までの間の機器と配管を、復水ポンプ（３）により洗浄水を供給しつつブロー洗浄し、その水質が基準値に達した後、脱塩装置（４）へ通水する、ことを特徴とするプラントにおける洗浄方法が提供される。
【００１２】
第２の洗浄方法は、発電プラントの復水器（２）、脱気器（７）、低圧ヒータ（６）及び脱塩装置（４）を配管で組み合わせた系を洗浄処理する洗浄方法であって、前記復水器（２）と前記脱気器（７）に一旦水を張った後、該復水器（２）と該脱気器（７）内の水質が基準値に達するまで水張りとブローを繰り返し、次に、再度前記復水器（２）に水を張った後、復水ポンプ（３）により該復水器（２）を、洗浄水を供給しつつブロー洗浄し、前記低圧ヒータ（６）をバイパスして脱気器（７）へ通水し、該脱気器（７）へ再度水を張った後ブローを行い、前記脱気器（７）を洗浄水を供給しつつブロー洗浄し、同時に低圧ヒータ（６）も洗浄水を供給しつつブロー洗浄し、その水質が基準値に達した後、脱塩装置（４）へ通水する方法である。
【００１３】
上記方法では、最初に発電プラントを構成する復水器（２）、脱気器（７）等といった系の中で保水容量の大きい貯槽や機器に一旦水を張った後この貯水のみでブローを行うことにより、これらの貯槽や機器内にある不純物を直近の弁から排出するものであるため、洗浄処理に要する時間を短縮することができる。しかも、使用水量が従来の循環洗浄とブロー洗浄を併用した洗浄方法と比較して低減することができる。
【００１４】
また、本発明は、貯槽、機器と配管が接続された系を洗浄する際に、洗浄工程途中の循環洗浄工程を省略するものであるために、従来は脱塩装置内で吸着除去していた不純物が、この脱塩装置内を通水しないことで樹脂の劣化を防ぐことができる。
【００１５】
【発明の実施の形態】
以下、本発明の好ましい実施の形態を図面を参照して説明する。
図１は本発明のプラントにおける洗浄方法を実施する発電プラントの系統図である。図２から図６は洗浄方法を示す発電プラントの系統図である。図示例では、「太い実線」はブローまたはブロー洗浄を、「太い破線」は循環洗浄を示している。
本発明の洗浄方法は、先ず、復水器２と脱気器７に一旦水を張った後ブローを行い、その水質が基準値に達するまでこれらを繰り返し、再度復水器２に水を張った後、復水ポンプ３によりブロー洗浄し、低圧ヒータ６をバイパスして脱気器７へ通水し、脱気器７へ再度水を張った後ブローし、脱気器７をブロー洗浄しながら低圧ヒータ６内をブロー洗浄し、その水質が基準値に達した後、脱塩装置４へ通水する。
ここで「ブロー」とは、洗浄水を供給しないで、貯水のみでブローを行うことをいい、「ブロー洗浄」とは、洗浄水を供給しつつブローを行うことをいう。
【００１６】
図２は復水クリーンアップの洗浄方法を示す発電プラントの系統図である。
先ず、系の中で保水容量の大きな貯槽、機器である復水器２と脱気器７へ一旦水を張った後ブローするときは、図示するように、復水器２については、ブロー弁Ｂ１を「開」にしてブロータンク５へブローする。また、脱気器７についてはブロー弁Ｂ４、ブロー弁Ｂ５を「開」にしてブロータンク５へブローする。例えば、復水器２の水張りとブローは、サンプリング配管を介した水質検出器で測定したブロー水質が基準値に達するまで実施し、必要があれば複数回繰り返す。ブロー完了後はブロー弁Ｂ１，Ｂ４，Ｂ５を閉止する。
【００１７】
図３は復水クリーンアップの洗浄方法を示す発電プラントの系統図である。
次に、復水クリーンアップをするときは、図示するように、復水器２に水を張った後、復水ポンプ３を運転し、ブロー弁Ｂ２を「開」にしてブロータンク５へブロー洗浄する。即ち、復水器２に再度水張り後、弁Ｖ１及びブロー弁Ｂ２を開け、復水器２を経由した洗浄水による配管のブロー洗浄を行う。この時、復水器２へは適宜洗浄水を供給する。配管のブロー洗浄は、サンプリング配管を介した水質検出器で測定したブロー洗浄水質が基準値に達するまで実施する。
【００１８】
水質検出器による測定は、その系の目的によって検査項目が異なる。発電所の場合では、濁度、鉄、ヒドラジン又は溶存酸素が検査項目となる。濁度と鉄に強い相関関係を示す系では、濁度の代わりに鉄を測定することができる。水質は自動測定のみならず、手分析による測定とすることもできる。
【００１９】
また、手分析や水質検出器による測定に代えて、洗浄時間の管理により実施することができる。この洗浄時間は、その洗浄対象装置の種類と停止時間に応じて設定する。例えば、短時間で洗浄工程が終了することがあらかじめ経験則としてわかっている場合は、タイマーを使用して洗浄時間を管理し、次工程へ進めることができる。
【００２０】
図４は低圧ヒータバイパスクリーンアップの洗浄方法を示す発電プラントの系統図である。図５は低圧ヒータクリーンアップの洗浄方法を示す発電プラントの系統図である。
脱気器７と低圧ヒータ６とをクリーンアップするときは、まず図４の系統図に示すように、低圧ヒータ６をバイパスし、脱気器７へ通水し、この脱気器７に再度水を張った後、ブロー弁Ｂ４、ブロー弁Ｂ５を「開」にしてブロータンク５へブローする。次に、図５の系統図に示すように、この脱気器７のクリーンアップを実施しながら弁Ｖ４、ブロー弁Ｂ３を「開」にして低圧ヒータ６内を押出してブロー洗浄する。
【００２１】
図６は低圧ヒータクリーンアップ後の循環方法を示す発電プラントの系統図である。
脱気器７と低圧ヒータ６のクリーンアップにともない、系の水質が基準値に達した後、図示するように、脱塩装置４へ通水し循環工程を行う。
【００２２】
従来の発電プラントの系について、その起動時にブロー洗浄と循環洗浄を併用した方法では、１１時間程度の洗浄時間が必要であった。本発明による脱気器および低圧ヒータの洗浄が完了するまで、即ち洗浄工程途中における循環洗浄を省略する洗浄方法では、系内で保水容量の大きな貯槽又は機器について一旦水を張った後ブローするために、その系内の不純物を直近の弁から排出することができるので８時間程度で洗浄が終了した。
また、使用する水量については、ブロー、ブロー洗浄と循環洗浄を併用した方法では約２５００トン必要であったが、本発明の洗浄方法では約１５００トンで洗浄できた。
【００２３】
なお、貯槽、機器及び配管については、この様に順次洗浄する方法だけでなく、機器と配管等、複数装置を同時に洗浄することも可能である。また、各工程での洗浄が未完のまま次工程へ進むことも可能である。この様に順次洗浄するか、同時に洗浄するかは、洗浄水の供給容量や排水容量等を考慮して決定する。この場合、同時に洗浄を進行させることにより、より迅速に洗浄を完了させることができる。
【００２４】
本発明は上述した発明の実施の形態に限定されず、最初に主に系内で保水容量の大きな復水器２、脱気器７のような貯槽又は機器について一旦水を張った後ブローすることにより不純物を直近の弁Ｂ１，Ｂ４，Ｂ５等から排出し、下流側の装置を順次ブロー、ブロー洗浄し、洗浄工程途中における循環洗浄を不要とする洗浄方法であれば、本発明の要旨を逸脱しない範囲で種々変更できることは勿論である。
【００２５】
【発明の効果】
本発明のプラントにおける洗浄方法は、最初に復水器、脱気器といった系の中で保水容量の大きい機器に一旦水を張った後ブローを行い、その後、再度水を張り、下流側の貯槽、機器、配管を順次ブロー洗浄し、従来実施していた脱気器および低圧ヒータの洗浄が完了するまで、即ち洗浄工程途中における循環洗浄工程を省略する方法であるため、洗浄処理に要する時間を短縮することができる。そこで、火力発電所等のプラントの起動までに要する時間を短縮することができ、給電の運用性の向上に貢献することができる。
【００２６】
また、本発明の洗浄方法によれば、プラント洗浄に使用する水量を従来の循環洗浄とブロー洗浄を併用した方法と比較して低減することができる。
【００２７】
更に、本発明の洗浄方法は脱気器および低圧ヒータの洗浄が完了するまでの、最も脱塩装置への負荷が高い各クリーンアップ時に脱塩装置による水質処理を行わないことから、その装置について化学洗浄を実施する回数を低減させることが可能となるために、洗浄薬品のコストダウンや環境負荷を低減させると共に、不純物を系内で循環させないために、機器等の故障率が低下する、等の効果がある。
【図面の簡単な説明】
【図１】本発明のプラントにおける洗浄方法を実施する発電プラントの系統図である。
【図２】復水クリーンアップの洗浄方法を示す発電プラントの系統図である。
【図３】復水クリーンアップの洗浄方法を示す発電プラントの系統図である。
【図４】低圧ヒータバイパスクリーンアップの洗浄方法を示す発電プラントの系統図である。
【図５】低圧ヒータクリーンアップの洗浄方法を示す発電プラントの系統図である。
【図６】低圧ヒータクリーンアップ後の循環方法を示す発電プラントの系統図である。
【図７】従来の火力発電所等の発電プラントの復水クリーンアップする洗浄方法を示す発電プラントの系統図である。
【図８】従来の火力発電所等の発電プラントの低圧クリーンアップする洗浄方法を示す発電プラントの系統図である。
【図９】従来の火力発電所等の発電プラントの高圧クリーンアップする洗浄方法を示す発電プラントの系統図である。
【図１０】従来の火力発電所等の発電プラントのボイラクリーンアップする洗浄方法を示す発電プラントの系統図である。
【符号の説明】
１  ボイラ
２  復水器
３  復水ポンプ
４  脱塩装置
６  低圧ヒータ
７  脱気器
８  給水ポンプ
９  高圧ヒータ
１０  フラッシュタンク
【図１】
0003958222.tif 000002
【図２】
0003958222.tif 000003
【図３】
0003958222.tif 000004
【図４】
0003958222.tif 000005
【図５】
0003958222.tif 000006
【図６】
0003958222.tif 000007
【図７】
0003958222.tif 000008
【図８】
0003958222.tif 000009
【図９】
0003958222.tif 000010
【図１０】
0003958222.tif 000011